【事件の表示】
　特許第２７２６９２５号「魚釣用スピニングリール」の特許に対する特許異議の申立てについて、次のとおり決定する。
【結論】
　訂正を認める。
　本件特許異議の申立てを却下する。
【理由】
Ｉ．本件手続の経緯
　本件特許第２７２６９２５号の請求項１及び請求項２に係る発明についての出願は、平成４年１２月２９日に出願された実願平４−９３３９９号を国内優先権主張の基礎とし、平成５年２月２２日に特願平５−５６５０３号として出願されたものであり、平成９年１２月１２日に設定登録がなされ、その後、特許異議申立人株式会社シマノより特許異議の申立てがなされ、当審において取消理由を通知したところ、その指定期間内である平成１１年７月１５日付けで訂正請求がなされたものである。
ＩＩ．訂正の適否についての判断
１．訂正の内容
　特許権者は特許明細書を次のとおりに訂正するように求めている。
　▲１▼　明細書における特許請求の範囲の請求項２に係る記載を削除する。
　▲２▼　明細書における段落番号【０００８】の記載の請求項２に対応する後段の記載を削除して、「【０００８】【課題を解決するための手段】上記目的に鑑みて本発明は、釣糸巻取り位置と放出位置とに反転自在なベールが取り付けられると共に釣糸案内部を有するベール支持部材を前端部に取り付けた支持アームの前記前端部と、他側の支持アームの前端部とが、ローターの軸芯に対して前記ベールの釣糸巻取り位置側と反対側にオフセットし、前記ローターの回転バランス調整用のバランサーを、少なくとも前記釣糸案内部を有するベール支持部材側の支持アームの中であって、前記釣糸巻取り位置のベール側に配設し、前記両支持アームがその前端部から基部に向けて前記ベールの釣糸巻取り位置側に偏寄した形状に形成されたことを特徴とする魚釣用スピニングリールを提供する。」と訂正する。
　▲３▼　明細書における段落番号【００１１】の記載の「何れの請求項も」の語句を削除して、「【００１１】ここで支持アームは前端部が釣糸巻取り位置のベールと反対側にオフセットしているが、支持アームが前端部から基部に向って釣糸巻取り位置のベール側に偏寄しているため、上記正面視方向の合成バランサー位置にそれだけ近くなり、支持アームのベール側領域内に合成分のバランサーを配設し易くなる。即ち、合成バランサーの位置が上記釣糸案内部を有するベール支持部材側支持アームの釣糸巻取り位置のベール側領域に位置するか、或いは近ければ、ローターのコンパクトさを維持する制約下で可及的にバランスをとる意味において、バランサーをこの支持アームのベール側領域内に配設することができる。また幾分離れておれば、この釣糸案内部を有するベール支持部材側支持アームと他側の支持アームとに分配配置することにより、上記同様に可及的にバランスをとることができる。」と訂正する。
２．訂正の目的の適否、新規事項の有無及び拡張・変更の存否
　上記▲１▼の訂正は、特許請求の範囲の減縮を目的とするものに該当し、また上記▲２▼及び▲３▼の訂正は、発明の詳細な説明の記載を訂正後の特許請求の範囲の記載と整合させるためのものであるから、上記▲２▼及び▲３▼の訂正は明りょうでない記載の釈明を目的とするものに該当する。
　そして、これらの訂正は、訂正前の明細書、又は図面に記載された事項の範囲内において訂正するものであって新規事項を追加するものでなく、かつ、実質上特許請求の範囲を拡張、又は変更するものではない。
　さらに、訂正後の特許請求の範囲の請求項１に記載された発明が出願の際独立して特許を受けることができるものである。
３．むすび
　以上のとおりであるから、上記訂正請求は、特許法等の一部を改正する法律（平成６年法律第１１６号）附則第９条第２項の規定において準用され、同附則第１０条第１項の規定によりなお従前の例によるとされる、特許法第１２０条の４第２項及び同条第３項において準用する同第１２６条第２ないし４項の規定に適合するので、当該訂正を認める。
ＩＩＩ．特許異議の申立てについての判断
　請求項２に係る発明は、訂正の結果削除され、特許異議の申し立ての対象が存在しない。
　よって、結論のとおり決定する。
【異議決定日】
平成１１年８月２５日（１９９９．８．２５）
【訂正の要旨】
　▲１▼　特許請求の範囲の減縮を目的として、特許請求の範囲の請求項２に係る記載を削除する。
　▲２▼　明りょうでない記載の釈明を目的として、明細書における段落番号【０００８】の記載の請求項２に対応する後段の記載を削除して、「【０００８】【課題を解決するための手段】上記目的に鑑みて本発明は、釣糸巻取り位置と放出位置とに反転自在なベールが取り付けられると共に釣糸案内部を有するベール支持部材を前端部に取り付けた支持アームの前記前端部と、他側の支持アームの前端部とが、ローターの軸芯に対して前記ベールの釣糸巻取り位置側と反対側にオフセットし、前記ローターの回転バランス調整用のバランサーを、少なくとも前記釣糸案内部を有するベール支持部材側の支持アームの中であって、前記釣糸巻取り位置のベール側に配設し、前記両支持アームがその前端部から基部に向けて前記ベールの釣糸巻取り位置側に偏寄した形状に形成されたことを特徴とする魚釣用スピニングリールを提供する。」と訂正する。
　▲３▼　明りょうでない記載の釈明を目的として、明細書における段落番号【００１１】の記載の「何れの請求項も」の語句を削除して、「【００１１】ここで支持アームは前端部が釣糸巻取り位置のベールと反対側にオフセットしているが、支持アームが前端部から基部に向って釣糸巻取り位置のベール側に偏寄しているため、上記正面視方向の合成バランサー位置にそれだけ近くなり、支持アームのベール側領域内に合成分のバランサーを配設し易くなる。即ち、合成バランサーの位置が上記釣糸案内部を有するベール支持部材側支持アームの釣糸巻取り位置のベール側領域に位置するか、或いは近ければ、ローターのコンパクトさを維持する制約下で可及的にバランスをとる意味において、バランサーをこの支持アームのベール側領域内に配設することができる。また幾分離れておれば、この釣糸案内部を有するベール支持部材側支持アームと他側の支持アームとに分配配置することにより、上記同様に可及的にバランスをとることができる。」と訂正する。
（５４）【発明の名称】
魚釣用スピニングリール
（５７）【特許請求の範囲】
　　【請求項１】　釣糸巻取り位置と放出位置とに反転自在なベールが取り付けられると共に釣糸案内部を有するベール支持部材を前端部に取り付けた支持アームの前記前端部と、他側の支持アームの前端部とが、ローターの軸芯に対して前記ベールの釣糸巻取り位置側と反対側にオフセットし、
　前記ローターの回転バランス調整用のバランサーを、少なくとも前記釣糸案内部を有するベール支持部材側の支持アームの中であって、前記釣糸巻収り位置のベール側に配設し、
　前記両支持アームがその前端部から基部に向けて前記ベールの釣糸巻収り位置側に偏寄した形状に形成された
　ことを特徴とする魚釣用スピニングリール。
【発明の詳細な説明】
　　　【０００１】
　　【産業上の利用分野】
　本考案は魚釣用スピニングリールに関し、特に操作性の良い魚釣用スピニングリールに関する。
　　　【０００２】
　　【従来の技術】
　従来、魚釣用スピニングリールは、ローターの両側に形成した一対の支持アームの先端部に釣糸案内部を有するアームレバーやベールホルダー等のベール支持部材を介して、半環状のベールを釣糸巻取り位置と放出位置に反転自在に取り付けているが、これらベールやベール支持部材はそれぞれ左右対称には形成されていないため、ローターの回転バランスが悪い。
　　　【０００３】
　この回転バランスの不良を改善する手段として、実開昭５２−８０８８７号公報に見られるように釣糸巻取り状態のベールとは反対側のローター部分にバランサーを取り付けたり、ベールの支持アームに対する軸着位置をローターの軸芯に　対して釣糸巻取り状態のベール側とは反対側にオフセットさせたり、実公昭５３　−３３０３３号公報に見られるように、一方の支持アームの先端部にスプール軸　方向と平行にバランサーを移動可能に設けたり、更には、２つのベール支持部材　の材質に比重の異なるものを用いたりしてローターの回転バランスの不均衡を改　善することが知られている。
　　　【０００４】
　ところが近年は巻取り効率を向上させるために、実開平１−５９０６３号公報に見られるように釣糸案内ローラーにボールベアリングを使用したり、実開平３　−７４２６０号公報や実開平４−９５６４号公報に見られるように、ベール支持　部材に糸絡み防止部材を設ける等しているため、釣糸案内部を有するベール支持　部材を取り付けた側の支持アームは、その先端方向（ローターの前方向）への重量偏寄が一層進行している。
　　　【０００５】
　そこでローターの前方への重量偏寄を補正し、ロータ一回転時に偶力が生じないようにベール側のローター後部にバランサーを設けて、ベール等の重心を後方に移動させ、ロータ一回転時のバランスを図るようにしたものが実開平４−１２７１６７号で知られている。
　　　【０００６】
　　【発明が解決しようとする課題】
　しかし、ローター後部の形状がバランサー装着のため部分的に外方に突出してしまい、ローター自体がコンパクトにならず、スピニングリールのローターとしては適さず、また、突出部は外観上美観を損ねる。
　更には、バランスのために重量を付加するのみであるためローター全体として重量が大きくなり、釣竿に装着する部品としては必ずしも適さない。
　　　【０００７】
　依って本発明は、軽量かつコンパクトであると同時に可及的に回転バランスのとれた操作性の良い魚釣用スピニングリールの提供を目的とする。
　　　【０００８】
　　【課題を解決するための手段】
　上記目的に鑑みて本発明は、釣糸巻収り位置と放出位置とに反転自在なベールが取り付けられると共に釣糸案内部を有するベール支持部材を前端部に取り付けた支持アームの前記前端部と、他側の支持アームの前端部とが、ローターの軸芯に対して前記ベールの釣糸巻取り位置側と反対側にオフセットし、前記ローターの回転バランス調整用のバランサーを、少なくとも前記釣糸案内部を有するべール支持部材側の支持アームの中であって、前記釣糸巻取り位置のベール側に配設し、前記両支持アームがその前端部から基部に向けて前記ベールの釣糸巻取り位置側に偏寄した形状に形成されたことを特徴とする魚釣用スピニングリールを提供する
。
　　　【０００９】
　　【作用】
　ベールの重心はローターの前方位置に在るため、ローターの長手方向のアンバランス（偶力）を補正するためにはベール重心の後方位置に一方のバランサーを設けてベールの重心を後方に修正移動させる必要が有る。一方、釣糸案内部を有するベール支持部材側支持アームの先部は他側の支持アームの先部よりも重く、かつ、前方位置にその重心が在るため、ローターの長手方向のアンバランスを補正するためには釣糸案内部を有するベール支持部材の後方位置にもう一方のバランサーを設けてその重心を後方に移動させる必要がある。
　　　【００１０】
　上記一方のバランサーが釣糸巻取り位置のベール側であって、もう一方のバランサーが釣糸案内部を有するベール支持部材側ということから、これらの２つのバランサーを合成した合成バランサーは、実質的にはローターの前方視（正面方向視）による釣糸巻取り位置のベール側の半領域と釣糸案内部を有するベール支持部材側の半領域との重なり合った領域に位置することになる。
　　　【００１１】
　
ここで
　　　【００１２】
　これらバランサーはローターの長手方向の偶力アンバランスを調整するものであるが、上記解決手段の前者も後者もベール支持部材を前端部に取り付けた支持アームの該前端部を釣糸巻取り状態のベールと反対側にオフセットさせているため、ベール重量と、その重心をローター後方に修正移動させるためのバランサー分とによる、ベール側対反ベール側という半径方向の遠心力アンバランスをこのオフセット形状によって補正できる。従って、回転の半径方向アンバランスの調整バランサーを別に設けなくても回転バランスが良く、ローターの軽量化とコンパクトさが図られる。
　釣糸案内部を有するベール支持部材側支持アーム領域と他側の支持アーム領域との重量の相違による半径方向の遠心力アンバランスについては、軽量である他側の支持アーム領域を、例えば、比重の重い材料によって製作するか、或いは、該支持アーム内にバランサーを配設する等によってローターのコンパクトさを損なわない範囲で可及的に対処することができる。
　　　【００１３】
　　【実施例】
　以下、本発明を添付図面に示す実施例に基づき、更に詳細に説明する。
　図１，図２で魚釣用スピニングリールは、リール本体１の前部ｌａ内の筒状の駆動軸２の外周に、該駆動軸２を回転自在に支持する軸受１０が嵌合され、該軸受１０よりもスプール１１側前方に爪車１２とカラー１３が嵌合され、更にカラー１３の前方にローター３の筒部３ａを回り止め嵌合してナット１４で固定している。
　　　【００１４】
　ローター３は、駆動軸２に設けられた図示しないピニオンと噛合する図示しない駆動歯車を介してハンドル１５の回転に連動して回転駆動されるように支持されている。前記駆動軸２に套嵌されて突出したスプール軸１６の先端部にスプール１１が支持され、スプール１１はハンドル１５の回転に連動して前後に往復動する。
　　　【００１５】
　ローター３について、以下では図１の左側を前方、右側を後方と呼ぶことがある。ローターは各図に示すように前記筒部３ａと、前壁３ｂと、大径の筒部３ｃと、ローター底部の側部から前方に向けて突出された一対の支持アーム３ｆ，３ｇが形成されている。
　　　【００１６】
　一方の支持アーム３ｆ内の軸部３ｈには、釣糸案内部としてのガイドローラ２０側のベール支持部材（以下、一方のベール支持部材ということがある。）４がタッピングネジ軸１７で反転自在に支持され、図３において一方のベール支持部材４は釣糸巻取り時実線の釣糸巻取り位置に在り、釣糸放出時には２点鎖線の釣糸放出位置に反転される。
　他側の支持アーム３ｇ内の軸部３ｉには他側のベール支持部材５がタッピングネジ軸１８で反転自在に支持され、図４で他側のベール支持部材５は釣糸巻取り時実線の釣糸巻取り位置にあり、釣糸放出時には２点鎖線の釣糸放出位置に反転される。
　　　【００１７】
　ベール支持部材４にはガイドローラ２０を介してベール１９の一端が、またベール支持部材５にはベール１９の他端が取り付けられている。
　ベール支持部材４，５が反転自在に支持される軸部３ｈ，３ｉの軸芯３ｈ’，３１’は、ローター３の軸芯ＬＡに対して巻取り位置に在るベール１９と反対側にオフセット（１〜７ｍｍ）されており、ローター回転の半径方向のバランスからみて、半環状の異形ベールの重量偏寄分と、後述の後方への重心移動用のバランサーの重量偏寄分をローターの形状を工夫することによって調節するものである。従って、単にバランサーを付加するだけによる調節の場合と比較して、ローター３が軽量化される。
　　　【００１８】
　また、一対の支持アーム３ｆ，３ｇの形状は、それぞれ図３と図４に示すようにベール支持部材４，５が取り付けられた先端部から基部３ｄ，３ｅに亘って、釣糸巻取り位置のベール１９側に偏寄した形状に形成されている。ただし、本発明に係る支持アーム形状はこれに限らず、先端部から下方部にまで亘ってローター軸芯ＬＡに沿った方向に形成されており、基部付近のみが釣糸巻取り位置のベール側に偏寄した形状に形成されていたり、また中央部から基部に亘って前記ベール側に偏寄した形状に形成されていてもよい。
　更には支持アーム３ｆ，３ｇの基部３ｄ，３ｅのベール１９側には凹部３ｊ，３ｋが形成されており、それぞれにはバランサー７，８が装着されている。また一方の支持アーム３ｆの基部３ｄ内にはローター３の中心方向に貫通する透孔３ｍが穿設されている。
　　　【００１９】
　ベール支持部材４，５とベール１９とを図３と図４に示す２点鎖線の釣糸放出位置から実線の釣糸巻取り位置側に反転させるＬ字形のレバー９が、図７に示す一方の支持アーム３ｆ内に設けられている。レバー９の一端の凸部９ａはベール支持部材４の図示していない孔に挿入され、他端９ｂは図１と図２において上下方向に配設された状態で透孔３ｍに挿入されている。レバー９の他端９ｂは図１と図２に示すリール本体１に設けられたカム１ｂに当接可能に臨んでいる。こうした各部材を収容保護するカバー部材３ｐ，３ｑがそれぞれ支持アーム３ｆ，３ｇの外側を覆うようにビス３ｒ，３ｓによって締結されている。
　　　【００２０】
　魚釣用スピニングリールの作動は、図示しない仕掛けが投擲される時、ベール支持部材４，５が図３，図４の２点鎖線の釣糸放出位置にあってスプール１１に巻回された釣糸が放出される。
　仕掛けが投擲された後、ハンドル１５の回転でローター３が回転されると、レバー９の他端９ｂがリール本体１に設けられカム１ｂに当接されて後退し、ベール支持部材４が反転されて両ベール支持部材４，５とベール１９とが釣糸巻取り位置に起こされる。この時釣糸はベール１９ですくいあげられて釣糸案内ローラ２０へ案内される。この状態でハンドル１５の回転でローター３が回転すると釣糸がスプール１１に巻回される。
　　　【００２１】
　以下では、以上説明した本発明に係る魚釣用スピニングリールの構成理由を説明する。
　図８を参照すると、ローター軸芯ＬＡに対してベール１９側と反ベール側との遠心力による半径方向のバランスをとるために、ローター３’の反ベール側の円筒部上にベール１９の遠心力に対するバランサーＷを設けただけでは、ローター軸芯ＬＡ方向において、ベール１９の重心ＧＢとバランサーＷとの距離Ｈの存在のため偶力が生じてしまい、バランスがとれない。
　　　【００２２】
　そこでベール重心ＧＢをローター３’の後方位置に修正移動させることが必要となる。ベールのみではないが、他部品をも含めてベール側ローター後部円筒部にバランサーを設けて修正するようにしたものが、実開平４−１２７１６７号公報に開示されている。
　　　【００２３】
　然しなから、ローター後部の形状がバランサー装着のために部分的に外方に突出してしまい、美観を損ねると共に、ローター自体が重く、かつコンパクトにならず、スピニングリールのローターとして適さない。そこで本発明では、ローターの形状を工夫することによって、軽量かつコンパクトなローターの範囲内において可及的に回転バランスのとれた魚釣用スピニングリールを提供する。
　　　【００２４】
　これを以下に詳述する。図９は本発明の原理を説明したものであり、ローター３を前方からみた略図である。支持アーム３ｆと３ｇとは、既述の如くローター軸芯ＬＡから、釣糸巻取り状態に在るベール１９に対して反ベール側に移動した位置にベール支持部材４，５をその前端部に装着できるようにオフセットされている。
　　　【００２５】
　まず、ベール１９の重心をローター３の後方位置に修正移動させるために、ローター後方にバランサーＡを設けたものと考える。また、一対の支持アーム３ｆと３ｇに取り付けられた部品の重量差による半径方向の回転バランスを図る際にも、上記ベールに対する場合と同様に偶力が生じ得る。従って、重量がローター前方に偏寄している側の支持アーム３ｆに取り付けられたベール支持部材４等のローター後方位置にバランサーＢを設けたものと考える。ローター３の重量を可及的に軽量化する観点から、これらのバランサーはできるだけローター３の後方に位置させる。こうすると小さな重量のバランサーでベール１９等の重心をより後方に修正移動させることができる。従って、各バランサーＡ，Ｂはローター３の底部近くに設けるものと考える。
　　　【００２６】
　この両バランサーＡ，Ｂの代りに、この両バランサーＡとＢを合わせた合成バランサーＣを考える。この合成バランサーＣは、図９に示す様に、支持アーム３ｆ，３ｇのベール側に偏寄した基部３ｄ，３ｅを結んだラインＬＤ上に在るとは限らないが、本発明の狙いであるコンパクトなリールという制約の下で可及的にバランスを図ることより、ラインＬＤ上に在るものとして２つのバランサーＤ，Ｅに分割してそれぞれ支持アーム３ｆ，３ｇ内の基部３ｄ，３ｅに配設する。このバランサーＤが図３のバランンサー７であり、バランサーＥが図４のバランサー８である。
　　　【００２７】
　もっとも、各バランサーＡ，Ｂをローター３の底部よりも前方に設け、合成バランサーＣの位置がもう少しローター軸芯ＬＡの方（反ベール方向）に近く位置するならば、各バランサーＤ，Ｅは支持アーム３ｆ，３ｇの基部とは限らず、もう少し前方（前端部方向）に位置することもある。
　　　【００２８】
　更には、各部材の重量分布によっては図１０に示すように、丁度支持アーム３ｆ内か又は支持アーム３ｆの近くに合成バランサーＣが位置することもある。この場合は他方の支持アーム３ｇにはバランサーを分散配置する必要は無く、合成バランサーＣそのものがそのまま支持アーム３ｄ内に配置されることとなる。
　　　【００２９】
　このようにして偶力対策としてのバランサーＤとＥ（又はＣ）を配設したが、これらのバランサーの内、バランサーＡとベール１９の重量によるベール方向の遠心力を打ち消すように、両支持アーム３ｆと３ｇを反ベール側にオフセットしている。この場合、ベール１９が釣糸開放状態と巻取り状態との両方に切替られる関係上、該ベール１９内周とスプール１１の外周との間隔はオフセットによって変動する。図９における反ベール側にベール１９を移動させた場合、即ち、釣糸開放状態では間隔が大きくなって投擲の際に釣糸がリールに接触し難くなり、円滑な投擲が可能となって操作性がよくなる。
　　　【００３０】
　しかし、逆に図９の釣糸巻取り状態の場合はスプール１１とベール１９との間隔が小さくなり、またデザイン上の観点からも上記オフセットには限界がある。そこで通常、オフセット量ΔＬは１〜７ｍｍ程度である。このため、オフセットのみではベール側と反ベール側の遠心力バランスが完全にとれない場合があり、その場合にはローター３の前壁３ｂの表又は裏側や、大径筒部３ｃの内周に補助のバランサーを配設することもある。図６の破線Ｆがこの補助バランサーを示している。この場合もコンパクトなリールという制約に反することは無い。
　　　【００３１】
　一方、両支持アーム３ｆ，３ｇに取り付けられている部材の重量差と上述のバランサーＢの分とに基づくベール・反ベール方向に直交する方向の半径方向の遠心力によるアンバランスを可及的に是正するように他方の支持アーム３ｇ内にバランサーを配設したり、また、他方のベール支持部材５を比重の大きな材料、例えば、亜鉛等によって形成したりする。こうした方法もリールのコンパクトさを損なうことがない。この半径方向のバランスのために支持アーム３ｇ内にバランサーを配設する場合は、支持アーム３ｇの前端部近くに位置させると良い。
　　　【００３２】
　これは、支持アーム内に配設する限りにおいては、リールのコンパクトさを損なうことは無く、しかも支持アームの前端部に位置させることは、対向する一方の支持アーム３ｆの先部に取り付けられたベール支持部材４等の重心を大きく下げる必要性が無く、その分上述したバランサーＢの重量を小さくでき、それによってローター、ひいてはリールを軽量化することに寄与する。
　　　【００３３】
　また、支持アーム３ｆ，３ｇの基部３ｄ，３ｅは幅広に形成されているため、ベール１９の付勢機構や反転機構等も設けることができ、しかもこれらの機構に悪影響を及ぼすことなくバランス調整ができる。
　　　【００３４】
　既述の如く、各支持アーム３ｆ，３ｇの外側はカバー部材３ｐ，３ｑによって被覆している。これはベール支持部材を釣糸巻取り位置と放出位置とに振り分け付勢する付勢ばねや、反転機構のレバー９の装着等と同一方向からバランサー取り付け作業が行えると共に、同一カバー部材でカバーできるため、リールの組立作業性が良いと共に構造も簡素化される。反転機構のレバー９の代りに、リール本体１の上部に形成した脚部１ｃに復帰部材を設けて、ベール支持部材４の衝接によってベール１９を反転させてもよい。
　　　【００３５】
　また、各バランサーは板状部材を複数枚重ね合わせて構成すると都合が良い。即ち、バランサーの微調整がその枚数を加減することによって行え、また、鉛、亜鉛、Ｂｓ等比重の異なる板の組合せによって調節の自由度が増大する。更にはローターを共通化して設計仕様における釣糸案内部の構成の相違や反転レバーの有無等に対しても対応が可能になる。また更に、板状部材はプレスによって打ち抜き加工ができ、鋳造製品に必要なバリ取やパーティングの仕上げ加工等も不要であって安価に製作できる。
　　　【００３６】
　　【発明の効果】
　以上の説明から明らかなように本発明によれば、ハンドルの回転に連動して回転するローターの形状のコンパクト化や軽量簡素化を図りながら、ローターに装着される部材の不均衡に基づく回転アンバランスを可及的に是正でき、魚釣り操作性が向上する。
【図面の簡単な説明】
　【図１】
本発明に係る魚釣用スピニングリールの部分破断側面図である。
　【図２】
図１の要部の拡大断面側面図である。
　【図３】
図１の魚釣用スピニングリールをガイドローラー側から見た側面図である。
　【図４】
図１の魚釣用スピニングリールを図３と反対側から見た側面図である。
　【図５】
図４に現われているベール支持部材を主としたローターの側面図である。
　【図６】
ローターの正面図と縦断面図である。
　【図７】
図３に現われているベール支持部材を主としたローターの側面図である。
　【図８】
ローターの偶力発生説明図である。
　【図９】
偶力バランサーの配置説明図である。
　【図１０】
他の偶カバランサーの配置説明図である。
　【符号の説明】
３　　　　　　　ローター
３ｄ，３ｅ　　　支持アームの基部
３ｆ，３ｇ　　　支持アーム
４，５　　　　　ベール支持部材
７，８　　　　　バランサー
１９　　　　　　ベール
Ｆ　　　　　　　補助バランサー